(57)【要約】【課題】乗員が着座する着座空間と他の空間との空気の流動を抑制する車両用空調制御装置を提供する。【解決手段】着座シートを選択し、選択された着座シートと他の着座シートとの間に、空調装置２０，２１から空気を吹き出して、選択された着座シート上の乗員が着座する着座空間と他の空間との空気の流動を抑制する。【選択図】図３
2015063262.tif 000002
【特許請求の範囲】
【請求項１】
着座シートを選択する着座シート選択手段と、
特定の方向へ空気を吹き出すことが可能な吹出口を有する空調手段とを備え、
前記空調手段は、前記着座シート選択手段によって選択された着座シートと他の着座シートとの間に空気を吹き出して、前記選択された着座シート上の乗員が着座する着座空間と他の空間との空気の流動を抑制することを特徴とする車両用空調制御装置。
【請求項２】
芳香を発する芳香手段をさらに備え、
前記芳香手段は、前記選択された着座シート上の乗員が着座する着座空間に芳香を発することを特徴とする請求項１に記載の車両用空調制御装置。
【請求項３】
前記芳香手段は、第１の所定時間経過後に芳香を停止し、
前記空調手段は、芳香が停止してから、前記選択された着座シート上の乗員が着座する着座空間と他の空間との空気の流動の抑制を第２の所定時間続けることを特徴とする請求項２に記載の車両用空調制御装置。
【請求項４】
着座シートを選択し、
選択された着座シートと他の着座シートとの間に空気を吹き出して、選択された着座シート上の乗員が着座する着座空間と他の空間との空気の流動を抑制することを特徴とする車両用空調制御方法。
【発明の詳細な説明】
【技術分野】
【０００１】
本発明は、車両用空調制御装置及び車両用空調制御方法に関する。
【背景技術】
【０００２】
従来より、芳香成分を含んだ空気を特定の乗員に供給する装置が知られている（特許文献１参照）。特許文献１では、効能カートリッジを有する空気砲から空気渦を発射して特定の乗員に芳香を供給する。
【先行技術文献】
【特許文献】
【０００３】
【特許文献１】特許第５０８５１７７号
【発明の概要】
【発明が解決しようとする課題】
【０００４】
しかしながら、特許文献１では、乗員に空気渦が到達した後は車室内に芳香が拡散してしまい、特定の乗員以外の乗員にも芳香を知覚させてしまうことになる。
【０００５】
本発明は、上記問題に鑑みてなされたものであり、その目的とするところは、特定の乗員にのみ芳香を知覚させ、その他の乗員が芳香を知覚することを抑制する車両用空調制御装置を提供することである。
【課題を解決するための手段】
【０００６】
本発明の一態様に係る車両用空調制御装置は、選択された着座シートと他の着座シートとの間に空気を吹き出して、選択された着座シート上の乗員が着座する着座空間と他の空間との空気の流動を抑制する。
【発明の効果】
【０００７】
本発明によれば、乗員が着座する着座空間と他の空間との空気の流動を抑制することができるため、特定の乗員にのみ芳香を知覚させ、その他の乗員が芳香を知覚することを抑制することができる。
【図面の簡単な説明】
【０００８】
【図１】図１は、本発明の実施形態に係る車両用空調制御装置が搭載された車室を示す説明図である。
【図２】図２は、本発明の実施形態に係る車両用空調制御装置のブロック図である。
【図３】図３は、本発明の実施形態に係る車両用空調制御装置の作用を説明する図である。
【図４】図４は、本発明の実施形態に係る車両用空調制御装置の制御内容の一例を示すフローチャートである。
【図５】図５は、図３の変形例を示し、車両後席右側の着座空間と他の空間との空気の流動を抑制することを説明する図である。
【図６】図６は、図３の変形例を示し、車両後席の着座空間と他の空間との空気の流動を抑制することを説明する図である。
【図７】図７は、３列シートを有する車両において、車両２列目右側の着座空間と他の空間との空気の流動を抑制することを説明する図である。
【発明を実施するための形態】
【０００９】
以下、本発明の具体的な実施形態について、図面を参照しながら詳細に説明する。図面の記載において同一部分には同一符号を付し説明を省略する。
【００１０】
図１は、本発明に係る車両用空調制御装置が搭載された車室を示す説明図である。車室Ａ内には、前席右側の着座シート１０と、前席左側の着座シート１１と、後席右側の着座シート１２と、後席左側の着座シート１３が配置される。また、車室Ａ内前方のインストルメントパネル（図示せず）内の車幅方向中央領域に空調装置２０が配置される。また、着座シート１０，１１と着座シート１２，１３との間で、かつ車幅方向中央領域に後席用の空調装置２１が配置される。空調装置２０，２１は、室内環境を調整するもので、特定の方向に集中的に空気を吹き出すことが可能な吹出口を１つ以上備える。また、車室Ａ内には、着座シート１０に着座する乗員の顔付近に芳香を発する芳香器３０が配置される。芳香器３０は、例えば、芳香剤を密閉する容器と蓋を有するものであって、蓋が開くことにより芳香を発するものである。
【００１１】
図２は、本発明に係る車両用空調制御装置のブロック図である。図２に示すように、車両用空調制御装置は、着座シート選択部４０と、制御部５０と、空調装置２０，２１と、芳香器３０とを備えている。
【００１２】
着座シート選択部４０は、着座シートを選択するために乗員が操作するスイッチであり、車室内に設けられる。また、着座シート選択部４０は、乗員が選択した着座シートを検知し、この検知信号を制御部５０に出力する。
【００１３】
制御部５０は、空調装置２０，２１と芳香器３０とを制御するものであり、ＣＰＵ、ＲＡＭ、ＲＯＭ、及び各種の操作子等からなるマイコンにより構成される。制御部５０は、着座シート選択部４０が検知した着座シート上の乗員が着座する着座空間と他の空間との空気の流動を抑制するため、空調装置２０，２１の風向及び風量を制御する。また、制御部５０は、乗員が着座する着座空間に対して、芳香器３０の蓋を開けて芳香を発生させる。
【００１４】
次に、本実施例による空調装置２０，２１の作用について図３を参照して説明する。まず、車両前席右側の着座シート１０に着座する乗員Ｍ１は、自身が着座する着座シート１０を着座シート選択部４０（図示せず）から選択する。着座シート選択部４０は、乗員Ｍ１が選択した着座シート１０を検知し、この検知信号を制御部５０に出力する。制御部５０は、乗員Ｍ１が選択した着座シート１０上の乗員Ｍ１が着座する着座空間と他の空間との空気の流動を抑制するために、空調装置２０，２１を制御する。具体的には、空調装置２０は、着座シート１０と着座シート１１との間で、かつ空調装置２１の方向（ＷＤ１）に集中的に空気を吹き出すことで、着座シート１０と着座シート１１の間とで発生する空気の流動を抑制する。また、空調装置２１は、着座シート１０と着座シート１２との間で、かつ着座シート１２の窓方向（ＷＤ２）に集中的に空気を吹き出すことで、着座シート１０と着座シート１２との間で発生する空気の流動を抑制する。このように乗員Ｍ１が着座する着座空間と他の空間との空気の流動を抑制した後、制御部５０は、芳香器３０の蓋を開けて、乗員Ｍ１に芳香を知覚させる。乗員Ｍ１が着座する着座空間と他の空間との空気の流動が抑制されているため、乗員Ｍ１にのみ芳香を知覚させることができ、他の乗員が芳香を知覚することを抑制することができる。
【００１５】
次に、車両用空調制御装置の制御内容を図４のフローチャートで説明する。
【００１６】
まず、ステップＳ１０において、制御部５０は、着座シートが選択されたか否かを判定する。着座シートが選択された場合はステップＳ１１に進む。着座シートが選択されていない場合は待機する。
【００１７】
ステップＳ１１において、制御部５０は、空調装置２０，２１の制御を通常の空調制御から、選択された着座シート上の乗員が着座する着座空間と他の空間との空気の流動を抑制する制御に変更する。
【００１８】
次に、ステップＳ１２において、制御部５０は、芳香器３０の蓋を開けて、選択された着座シートに着座する乗員に対して芳香を知覚させる。
【００１９】
次に、ステップＳ１３において、制御部５０は、芳香開始から所定時間Ｔ１経過したか否かを判定する。所定時間Ｔ１経過している場合はステップＳ１４に進む。所定時間Ｔ１経過していない場合は待機する。所定時間Ｔ１とは、乗員の鼻を中心とする所定領域内における芳香濃度が、所定濃度Ｄ１に達するまでの時間である。
【００２０】
ステップＳ１４において、制御部５０は、芳香器３０の蓋を閉じて芳香を停止する。
【００２１】
次に、ステップＳ１５において、制御部５０は、芳香停止から所定時間Ｔ２経過したか否かを判定する。所定時間Ｔ２経過している場合はステップＳ１６に進む。所定時間Ｔ２経過していない場合は待機する。所定時間Ｔ２とは、乗員の鼻を中心とする所定領域内における芳香濃度が、乗員の呼吸で消費されることによって所定濃度Ｄ２（Ｄ１＞Ｄ２）に低下するまで時間である。
【００２２】
ステップＳ１６において、制御部５０は、選択された着座シート上の乗員が着座する着座空間と他の空間との空気の流動の抑制を停止し、空調装置２０，２１の制御を通常の空調制御に戻す。
【００２３】
以上説明したように、本実施形態の車両用空調制御装置によれば、選択された着座シートとその他の着座シートとの間に、空調装置２０，２１から集中的に空気を吹き出すことにより、選択された着座シート上の乗員が着座する着座空間と他の空間との空気の流動を抑制することができる。
【００２４】
また、本実施形態の車両用空調制御装置によれば、選択された着座シート上の乗員が着座する着座空間に芳香させるため、選択された着座シートに着座する乗員以外の乗員が芳香を知覚することを抑制することができる。
【００２５】
また、本実施形態の車両用空調制御装置によれば、所定時間Ｔ１後に芳香を停止するが、その後所定時間Ｔ２の間は、選択された着座シート上の乗員が着座する着座空間と他の空間との空気の流動の抑制を行う。所定時間Ｔ２の間に芳香の濃度が低下するため、所定時間Ｔ２後に、選択された着座シート上の乗員が着座する着座空間と他の空間との空気の流動の抑制を停止した場合においても、選択された着座シートに着座する乗員以外の乗員が芳香を知覚することを抑制することができる。
【００２６】
本発明は、上述した実施形態に限定されるものではなく、その要旨を逸脱しない範囲で種々の変更が可能であることはいうまでもない。例えば、乗員が着座シート１２を選択した場合、図５に示すように、空調装置２１は、着座シート１０と着座シート１２との間で、かつ着座シート１２の窓方向（ＷＤ２）に空調装置２１の右側吹出口から集中的に空気を吹き出すことで、着座シート１０と着座シート１２との間で発生する空気の流動を抑制する。また、空調装置２１は、着座シート１２と着座シート１３との間に空調装置２１の左側吹出口から集中的に空気を吹き出す（ＷＤ３）ことで、着座シート１２と着座シート１３の間とで発生する空気の流動を抑制する。これにより、選択された着座シート１２上の乗員が着座する着座空間と他の空間との空気の流動を抑制することができる。その後、制御部５０は、芳香器３０の蓋を開けて、着座シート１２に着座する乗員Ｍ２に芳香を知覚させる。これにより、乗員Ｍ２のみが芳香を知覚することができる。
【００２７】
また、乗員が着座シート１２及び１３を選択した場合、図６に示すように、空調装置２１は、着座シート１０と着座シート１２との間で、かつ着座シート１２の窓方向（ＷＤ２）に空調装置２１の右側吹出口から集中的に空気を吹き出すことで、着座シート１０と着座シート１２との間で発生する空気の流動を抑制する。また、空調装置２１は、着座シート１１と着座シート１３との間で、かつ着座シート１３の窓方向（ＷＤ４）に空調装置２１の左側吹出口から集中的に空気を吹き出すことで、着座シート１１と着座シート１３との間で発生する空気の流動を抑制する。これにより、選択された着座シート１２及び１３上の乗員が着座する着座空間と他の空間との空気の流動を抑制することができる。その後、制御部５０は、芳香器３０の蓋を開けて、着座シート１２に着座する乗員Ｍ２及び着座シート１３に着座する乗員Ｍ３に芳香を知覚させる。これにより、乗員Ｍ２及び乗員Ｍ３のみが芳香を知覚することができる。
【００２８】
また、本発明の車両用空調制御装置は、３列シートを有する車両においても適用できる。図７に示すように、２列目の着座シート１２，１３の後ろに、３列目の着座シート１４，１５がそれぞれ配置される。また、着座シート１２，１３と着座シート１４，１５との間で、かつ車幅方向中央領域に後席用の空調装置２２が配置される。乗員が着座シート１２を選択した場合、空調装置２１は、着座シート１０と着座シート１２との間で、かつ着座シート１２の窓方向（ＷＤ２）に空調装置２１の右側吹出口から空気を吹き出すことで、着座シート１０と着座シート１２との間で発生する空気の流動を抑制する。また、空調装置２１は、着座シート１２と着座シート１３との間で、かつ空調装置２２の方向（ＷＤ３）に集中的に空気を吹き出すことで、着座シート１２と着座シート１３の間とで発生する空気の流動を抑制する。また、空調装置２２は、着座シート１２と着座シート１４との間で、かつ着座シート１４の窓方向（ＷＤ５）に空調装置２２の右側吹出口から空気を吹き出すことで、着座シート１２と着座シート１４との間で発生する空気の流動を抑制する。これにより、選択された着座シート１２上の乗員が着座する着座空間と他の空間との空気の流動を抑制することができる。その後、制御部５０は、芳香器３０の蓋を開けて、着座シート１２に着座する乗員Ｍ２に芳香を知覚させる。これにより、乗員Ｍ２のみが芳香を知覚することができる。
【００２９】
本実施形態では、選択された着座シートに着座する乗員にのみ芳香を知覚できるように制御しているが、所定時間ごとに運転席と他の空間との空気の流動を抑制し、運転手にのみ芳香を知覚させてもよい。この際の芳香は覚醒効果を有する芳香であるとより好ましい。このように所定時間ごとに運転手にのみ芳香を知覚させることで、運転手の居眠りを防止しつつ、他の乗員が芳香を知覚することを抑制することができる。また、選択された着座シートに着座する乗員以外の乗員に芳香を知覚させてもよい。
【００３０】
なお、空調装置の風向は、特に限られるものではなく、空調装置が設置される場所や乗員の体格などを考慮して、選択された着座シート上の乗員が着座する着座空間と他の空間との空気の流動を抑制するために種々の変更が可能である。
【符号の説明】
【００３１】
１０，１１，１２，１３，１４，１５  着座シート
２０，２１，２２  空調装置
３０  芳香器
４０  着座シート選択部
５０  制御部
【図１】
2015063262.tif 000003
【図２】
2015063262.tif 000004
【図３】
2015063262.tif 000005
【図４】
2015063262.tif 000006
【図５】
2015063262.tif 000007
【図６】
2015063262.tif 000008
【図７】
2015063262.tif 000009